(57)【要約】      （修正有）【課題】異なる印刷機にも低コストで簡単に対応できて使い勝手がよく、また装置の破損のおそれがない版材取付装置、円筒外面走査装置、版材取付方法および画像記録方法を提供する。【解決手段】記録ドラムに設けられる係合ピン２２，２３と、係合ピン２２，２３に係合されて位置決めされる取付補助部材１０と、前記取付補助部材１０に設けられ、刷版９に形成される嵌合孔１２と嵌合されて前記刷版９を位置決めする嵌合孔受けピン１３,１４と、取付補助部材１０を介して位置決めされた刷版９をドラムに固定する固定機構と、を備えているので、刷版９を印刷機に位置決め固定するための嵌合孔１２の位置や形状が異なる場合にも、その嵌合孔１２に対応する取付補助部材１０を用意するだけで対応できる。【選択図】図５
2010281854.tif 000002
【特許請求の範囲】
【請求項１】
回転自在に設けられるドラムに対して版材を位置決めして取り付ける版材取付装置であって、
版材に形成される嵌合部が嵌合されて版材を支持する嵌合受部を有する取付補助部材と、
前記ドラムに設けられる係合部と前記取付補助部材に設けられる係合受け部とが係合して取付補助部材をドラムに位置決めする位置決め機構と、
前記取付補助部材を介してドラムに位置決めされた版材をドラムに固定する固定機構と
を備えたことを特徴とする版材取付装置。
【請求項２】
請求項１記載の版材取付装置を備えたことを特徴とする円筒外面走査装置。
【請求項３】
回転自在に設けられるドラムに対して版材を位置決めして取り付け、版材を取り付けたドラムの外面を走査して処理する円筒外面走査装置であって、
ドラムを回転駆動する駆動源と、
ドラムに設けられるドラム側係合部と、
ドラム側係合部に係合されて位置決めされる取付補助部材と、
前記取付補助部材に設けられ、前記版材に形成される嵌合部と嵌合されて前記版材を位置決めする嵌合受部と、
取付補助部材を介して位置決めされた版材をドラムに固定する固定機構と、
ドラムの外面を走査して版材を処理する処理機構と、
を備えたことを特徴とする円筒外面走査装置。
【請求項４】
回転自在に設けられるドラムに対して版材を位置決めして取り付ける版材取付方法であって、
版材に形成される嵌合部を、取付補助部材に設けられた嵌合受部と嵌合して前記版材を取付補助部材に位置決めして取り付ける工程と、
ドラムに設けられる係合部に版材を取り付けた取付補助部材の係合受け部を係合させて版材をドラムに位置決めして取り付ける工程と、
前記取付補助部材を介して位置決めされた版材をドラムに押圧固定する工程と、
を備えたことを特徴とする版材取付方法。
【請求項５】
回転自在に設けられるドラムに対して版材を位置決めして取り付け、版材を取り付けたドラムの外面を走査して版材に画像を記録する画像記録方法であって、
版材に形成される嵌合部を、取付補助部材に設けられた嵌合受部と嵌合して前記版材を取付補助部材に位置決めして取り付ける工程と、
ドラムに設けられる係合部に版材を取り付けた取付補助部材の係合受け部を係合させて版材をドラムに位置決めして取り付ける工程と、
前記取付補助部材を介して位置決めされた版材をドラムに押圧固定する工程と、
版材を固定したドラムを回転させて記録ヘッドによってドラムの外面に取り付けられた版材表面を走査して、版材に画像を記録する工程と、
を備えたことを特徴とする画像記録方法。
【発明の詳細な説明】
【技術分野】
【０００１】
本発明は、版材取付装置、円筒外面走査装置、版材取付方法および画像記録方法に関し、より特定的には、その円筒外面に版材、いわゆる刷版が装着される記録ドラムと、当該ドラムの円周方向および軸方向に光ビームを走査して、刷版に対する露光を行う露光部とを備える円筒外面走査装置のドラムに対して、刷版を位置決めして取り付けるための版材取付装置、版材取付方法およびそれらを用いた円筒外面走査装置および画像記録方法に関する。
【背景技術】
【０００２】
従来、カラー印刷物は、露光工程や印刷工程等いくつかの工程を経て作製される。この露光工程に先立って、カラー印刷物の原稿画像は、複数色に、典型的には、Ｙ（黄）、Ｍ（紅）、Ｃ（藍）およびＫ（黒）の４色に色分解され、これによって、各色毎の画像データが生成される。このような画像データが、露光工程で用いられる円筒外面走査装置に与えられる。また、円筒外面走査装置が内部に備える記録ドラムの外面には、いわゆるＰＳ版（Ｐｒｅｓｅｎｓｉｔｉｚｅｄ  Ｐｌａｔｅ）等のシート状の刷版が装着される。ここで、ＰＳ版とは、アルミニウム版、プラスチックシート、および紙等の版材表面に、感光層が予め塗布された刷版である。
【０００３】
この露光工程において、当該円筒外面走査装置は、与えられた画像データに基づいて、色分解された色毎の画像を刷版上に描くために、記録ドラムの外面に装着された刷版を露光ヘッドによって露光する。つまり、原稿画像が上記ＹＭＣＫに色分解された場合、４枚の刷版に、互いに異なる色毎の画像が当該円筒外面走査装置によって描かれる。
【０００４】
また印刷工程で用いられる印刷機は、各色の露光済みの刷版に対応する色のインキを塗りつけて重ね刷りし、カラー印刷物を作製する。このとき、各色の画像がずれた状態で重ね刷りされると、粗悪なカラー印刷物が作製されてしまう。このような画像のずれを防止するために、露光工程、印刷工程の両方において、刷版は円筒外面走査装置や印刷機に対して正確に位置決めした状態で装着される必要がある。
【０００５】
このような位置決めのために、例えば露光工程においては、刷版の一端にパンチ孔や切り欠きなどの位置決め用の嵌合部分を形成しておくとともに、ドラムの側にもそのパンチ孔と対応する位置に位置決め用の孔を形成しておき、刷版の孔とドラムの孔の位置を合わせて位置決め用の冶具のピンを差し込み嵌合させることで、両者の位置決めをして露光工程を行っていた（例えば、特許文献１参照）。そして、印刷工程で印刷機に刷版を装着する際には、刷版に形成したパンチ孔を利用して位置決めを行っていた。
【先行技術文献】
【特許文献】
【０００６】
【特許文献１】特開２００２−３４１５５２
【発明の概要】
【発明が解決しようとする課題】
【０００７】
ところが、印刷機において刷版の位置決めに利用するパンチ孔の位置は印刷機によって異なっている。従って、このように刷版のパンチ孔を利用してドラムへの位置決めを行うようにすると、印刷機を新しいものに入れ替えたり他の印刷機を利用する場合には、その印刷機用のパンチ孔にあわせて円筒外面走査装置のドラムを交換したり、位置決め用の孔を新たに形成しなければならず、使い勝手が悪い上に高コストであった。
【０００８】
また、ドラムに刷版を位置決め装着する際に利用する冶具のピンは、位置決め後は必ず取り外す必要があり、これを外し忘れてドラムを回転させるとピンがドラムから飛び出して円筒外面走査装置の破損を招いてしまうおそれがあった。
【０００９】
そこで、本発明は、異なる印刷機にも低コストで簡単に対応できて使い勝手がよく、また装置の破損のおそれがない版材取付装置、円筒外面走査装置、版材取付方法および画像記録方法を提供することを目的としている。
【課題を解決するための手段】
【００１０】
かかる課題を解決する為に、請求項１に係わる発明は、回転自在に設けられるドラムに対して版材を位置決めして取り付ける版材取付装置であって、版材に形成される嵌合部が嵌合されて版材を支持する嵌合受部を有する取付補助部材と、前記ドラムに設けられる係合部と前記取付補助部材に設けられる係合受け部とが係合して取付補助部材をドラムに位置決めする位置決め機構と、前記取付補助部材を介してドラムに掛けられた版材をドラムに固定する固定機構とを備えたことを特徴としている。
【００１１】
請求項２に係わる発明は、円筒外面走査装置であって、請求項１に記載の版材取付装置を備えたことを特徴としている。
【００１２】
請求項３に係わる発明は、回転自在に設けられるドラムに対して版材を位置決めして取り付け、版材を取り付けたドラムの外面を走査して処理する円筒外面走査装置であって、ドラムを回転駆動する駆動源と、ドラムに設けられるドラム側係合部と、ドラム側係合部に係合されて位置決めされる取付補助部材と、前記取付補助部材に設けられ、前記版材に形成される嵌合部と嵌合されて前記版材を位置決めする嵌合受部と、取付補助部材を介して位置決めされた版材をドラムに固定する固定機構と、ドラムの外面を走査して版材を処理する処理機構とを備えたことを特徴とする。
【００１３】
請求項４に係わる発明は、回転自在に設けられるドラムに対して版材を位置決めして取り付ける版材取付方法であって、版材に形成される嵌合部を、取付補助部材に設けられた嵌合受部と嵌合して前記版材を取付補助部材に位置決めして取り付ける工程と、ドラムに設けられる係合部に版材を取り付けた取付補助部材の係合受け部を係合させて版材をドラムに位置決めして取り付ける工程と、位置決めされた版材をドラムに押圧固定する工程とを備えたことを特徴としている。
【００１４】
請求項５に係わる発明は、回転自在に設けられるドラムに対して版材を位置決めして取り付け、版材を取り付けたドラムの外面を走査して版材に画像を記録する画像記録方法であって、版材に形成される嵌合部を、取付補助部材に設けられた嵌合受部と嵌合して前記版材を取付補助部材に位置決めして取り付ける工程と、ドラムに設けられる係合部に版材を取り付けた取付補助部材の係合受け部を係合させて版材をドラムに位置決めして取り付ける工程と、位置決めされた版材をドラムに押圧固定する工程と、版材を固定したドラムを回転させて処理機構によってドラムの外面に取り付けられた版材表面を走査して、版材に画像を記録する工程と、を備えたことを特徴とする。
【発明の効果】
【００１５】
請求項１、３および５に記載の発明によれば、刷版を位置決め固定するための嵌合孔の形状や位置が異なる印刷機にも、対応する取付補助部材を用意するだけで、低コストで簡単に対応できて使い勝手がよく、また装置の破損のおそれがない版材取付装置および円筒外面走査装置が得られる。
【００１６】
また請求項２および４に記載の発明によれば、刷版を位置決め固定するための嵌合孔の形状や位置が異なる印刷機にも、対応する取付補助部材を用意するだけで、低コストで簡単に対応できて使い勝手がよく、また装置の破損のおそれがない版材取付方法および画像記録方法が得られる。
【図面の簡単な説明】
【００１７】
【図１】本発明の一実施形態である画像記録装置１の構造を説明するための図である。
【図２】図１に示した画像記録装置１の取付補助部材１０を示す図である。
【図３】図１に示した画像記録装置１の記録ドラム４を示す図である。
【図４】記録ドラム４のクランプ１８を示す図である。
【図５】取付補助部材１０を使った刷版９の記録ドラム４への取付過程を示す図である。
【図６】取付補助部材１０を使った刷版９の記録ドラム４への取付状態を示す図である。
【図７】取付補助部材１０を使った刷版９の記録ドラム４への取付状態を示す図である。
【図８】クランプ１８を使用しない比較例による刷版９の記録ドラム４への取付状態を示す図である。
【発明を実施するための形態】
【００１８】
以下、図面を利用しながら、本発明を実施形態について、説明を行なう。
【００１９】
図１は本発明の版材取付装置の一実施例である円筒外面走査装置の概略側面図である。
【００２０】
この円筒外面走査装置は印刷すべき画像を刷版に記録する画像記録装置１であって、筐体２の前面上部には開閉自在な扉３が形成され、扉３の開口内部には円筒状の記録ドラム４が回転自在に設けられる。記録ドラム４の奥側には基台５上に記録ドラム４の中心軸に沿って配置された一対のレール６上に記録ヘッド７が移動可能に設置されている。記録ドラム４は図示しないモータによってその円筒軸まわりで回転駆動される。記録ヘッド７は図示しないレーザ光源を備え、図示しないモータによって駆動され、記録ドラム４の円筒軸方向に沿って直線移動し、かかる直線移動と記録ドラム４の回転とによって記録ドラム４の表面を走査し、記録ドラム４の表面に取り付けられる版材にレーザを照射して画像を記録する処理を行う。また筐体２の上部には操作パネル８が設けられる。そして、使用時には扉３を開き、記録ドラム４に版材としての刷版９を巻きつけて装着する作業が行われる。
【００２１】
図２は刷版９を記録ドラム４に装着するための取付補助部材１０を示す。刷版９はアルミニウム薄板製であって、最終的に使用する印刷機（図示せず）への位置決めと取り付けのためにその一辺にそって一対の嵌合孔１１，１２が穿たれている。嵌合孔１１は円形、嵌合孔１２は横長形状で、使用する印刷機の取り付け部分に適合する位置および形状を有している。
【００２２】
取付補助部材１０は刷版９の横幅よりも若干長く、厚み０．３〜０．５ｍｍのステンレス製で可撓性と弾性を有する薄板よりなり、その上面には刷版９の嵌合孔１１，１２がちょうど嵌合する位置および形状の嵌合孔受けピン１３，１４が立設されている。また取付補助部材１０の両端には、記録ドラム４の後述する係合ピン２２、２３と係合するための係合切欠１５および係合孔１６が形成され、また係合孔１６側端部には、一部を折り曲げることにより摘み上げを容易とするための取っ手３０が形成される。
【００２３】
図３は記録ドラム４の外周面に設けられる刷版９の固定のための機構を記録ドラム４の円筒軸方向から見た図、図４は図３の二点鎖線で囲った部分の一部拡大図、図５および図６は刷板９の取り付けを示す図である。
【００２４】
記録ドラム４にはその軸方向に沿って凹部１７が形成され、凹部１７に沿って刷板９をドラムに押圧固定するクランプ１８が３個配置（図５参照）される。クランプ１８の押圧部２０の先端には、先端が記録ドラム４側に折れ曲がった爪部２４が設けられ刷版９を押圧固定するようになっている。クランプ１８は凹部１７の縁にばね１９を介して揺動可能に取り付けられ、ばね１９の付勢力によって押圧部２０が矢印Ａ方向に付勢されている。クランプ１８のこの状態を図４に二点鎖線で示す。
【００２５】
そして、凹部１７側の端部の操作部２１をオペレータがばね１９の付勢力に抗して押し込むと、押圧部２０は矢印Ｂ方向へ開かれて、凹部１７内に設けられるロック機構（図示せず）によりをその開かれた状態で固定される。クランプ１８のこの状態を図４に実線で示す。なお、もう一度押圧部２０を押し込むとロック機構の固定は解除され、クランプ１８はばね１９の付勢力によって押圧部２０が矢印Ａ方向に付勢されて閉じられる。
【００２６】
また、記録ドラム４の外周面の２箇所には、取付補助部材１０の係合切欠１５および係合孔１６と係合して位置決め機構を構成するための係合ピン２２、２３が取付固定される。係合ピン２２は記録ドラム４の図５の左端近くのクランプ１８の押圧部２０の下に設けられる。係合ピン２３は記録ドラム４の図５の右端近くのクランプ１８の側方に設けられる。
【００２７】
さて、かかる画像記録装置１の記録ドラム４に対して刷版９を位置決めして取り付け、さらに画像を記録する方法を以下に説明する。
【００２８】
第１ステップ：使用する刷版９に形成されている嵌合孔１１，１２の位置と大きさに適合し、ちょうど嵌合する位置および大きさの嵌合孔受けピン１３，１４が立設された取付補助部材１０を準備する。すなわち、使用しようとする印刷機に適合する刷版９の嵌合孔１１，１２の位置と大きさにあわせて取付補助部材１０を作製する。
【００２９】
第２ステップ：図２に示すごとく、刷版９の嵌合孔１１，１２を、それぞれ取付補助部材１０の嵌合孔受けピン１３，１４に嵌合させて刷版９を取付補助部材１０に取り付ける。
【００３０】
第３ステップ：記録ドラム４のクランプ１８の操作部２１を押し込み操作して３つのクランプ１８を全てを開き、図５に示すごとく、刷版９を取り付けた取付補助部材１０の係合切欠１５を記録ドラム４の係合ピン２２に係合させる。このとき、係合ピン２２はクランプ１８の下に位置するが、係合切欠１５は孔ではなく切欠であるので、容易に係合させることができる。また、クランプ１８の押圧部２０の、係合ピン２２の上部にあたる部分には、係合ピン２２を目視できる四角形の窓２４が形成されているので、係合切欠１５を係合ピン２２に係合させる際に目視しながら容易に作業をすることができる。
【００３１】
第４ステップ：記録ドラム４のクランプ１８を開いたまま、図６に示すごとく、取付補助部材１０の係合切欠１５を記録ドラム４の係合ピン２２に係合させた状態で、さらに取付補助部材１０の係合孔１６を記録ドラム４の係合ピン２３に嵌めこんで係合し、取付補助部材１０を記録ドラム４に取り付ける。このときオペレーターは取付補助部材１０の取っ手３０を持って容易に操作することができる。クランプ１８の押圧部２０の、嵌合孔受けピン１３，１４の上部にあたる部分にも、それらと嵌合孔１１，１２との嵌合状態を目視できる四角形の窓３２が形成されており、それらの嵌合状態を目視で確認できる。そしてこのとき刷版９は取付補助部材１０に位置決めされているので、記録ドラム４に対しても位置決めされた状態で取り付けられることになる。
【００３２】
第５ステップ：３つのクランプ１８のそれぞれの操作部２１を再度押し込んで図示しないロック機構による固定を解除し、クランプ１８の押圧部２０の先端の爪部２４に、よって位置決めされた刷版９を記録ドラム４に押圧固定する。このときクランプ１８の爪部２４は取付補助部材１０の刷版９の反対側から取付補助部材１０の上を越えて刷版９を直接押さえて記録ドラム４に押圧しているので、取付補助部材１０の脱落を防ぐとともに、取付補助部材１０の厚みによって刷版９が記録ドラム４から浮き上がることがなく、この浮き上がりに起因する描画不良の発生を防止できる。
【００３３】
第６ステップ：記録ドラム４を回転させながら刷版９を巻きつけていき、刷版９のもう一方の端縁まで巻きつけたら、端縁は適宜の手段、例えば粘着テープ等で記録ドラム４に固定する。
【００３４】
以上により、画像記録装置１の記録ドラム４に対して刷版９を位置決めして取り付けることができた。
【００３５】
第７ステップ：続いて記録ドラム４を回転させながら記録ヘッド７を駆動して刷版に所定の画像を記録する。
【００３６】
さて、次に、他の印刷機に使用するための刷版９を本画像記録装置１で記録する場合を考える。この場合、使用する刷版９を印刷機に位置決め固定するための嵌合孔１１，１２の位置や形状が全く同じであればよいが、それらが異なっている場合には、その嵌合孔１１，１２に対応する取付補助部材１０を新たに用意する。すなわちその別の印刷機に使用する刷版９の嵌合孔１１，１２がちょうど嵌合する位置および形状に嵌合孔受けピン１３，１４を形成した新たな取付補助部材１０を用意すれば、画像記録装置１そのものはなんらの変更なく、刷版９を記録ドラム４に位置決め固定することができる。その場合、新たな取付補助部材１０の嵌合孔受けピン１３，１４に対応するクランプ１８の位置にも、予め窓３２を設けておけばよい。
【００３７】
なお、取付補助部材１０に取り付けた刷版９を記録ドラムに固定するために、本実施形態のようにクランプ１８を使用しない場合は、図８に示すように例えば取付補助部材１０を粘着テープ３５で固定することが考えられる。しかしこの場合、図８に示すように、取付補助部材１０の厚み分だけ刷版９が記録ドラム４から浮き上がり、このまま描画処理を行うと正確に描画できない、いわゆる浮きぼけといわれる問題が発生する可能性がある。しかるに本発明では、クランプ１８の爪部２４により刷版９を直接押さえて記録ドラム４に押圧しているので、かかる描画不良は発生しない。
【符号の説明】
【００３８】
１  画像記録装置
４  記録ドラム
７  記録ヘッド
９  刷版
１０  取付補助部材
１１，１２  嵌合孔
１３，１４  嵌合孔受けピン
１５  係合切欠
１６  係合孔
１８  クランプ
２０  押圧部
２２，２３  係合ピン
２４  爪部
【図１】
2010281854.tif 000003
【図２】
2010281854.tif 000004
【図３】
2010281854.tif 000005
【図４】
2010281854.tif 000006
【図５】
2010281854.tif 000007
【図６】
2010281854.tif 000008
【図７】
2010281854.tif 000009
【図８】
2010281854.tif 000010